(57)【要約】【課題】連結部分の摩擦抵抗を効果的に利用することができ、しかも互いに相対回転可能な連結パーツの材質やその組み合わせを問わず同様な効果を得ることができる人形玩具を提供する。【解決手段】中心Ｇを含む断面上に外面よりも突出するＯリング８が凸状球面７の外面に設けられ、その凸状球面７を凹状球面２ｂに嵌合するだけで一方のパーツとしての胸部２に対して他方のパーツとしての腕部５が所定の可動トルクで回動可能に保持される。【選択図】      図２
2006334364.tif 000002
【特許請求の範囲】
【請求項１】
分割された一方のパーツに少なくとも半球面以上の内面積を有する凹状球面が形成され、分割された他方のパーツに少なくとも半球面以上の外面積を有する凸状球面が形成され、前記凹状球面に前記凸状球面を嵌合することにより前記一方のパーツに対して前記他方のパーツが所定範囲内で自在に回動可能に保持された人形玩具において、
前記凸状球面の外面に中心を含む断面上に前記外面よりも突出するＯリングを設けたことを特徴とする人形玩具。
【請求項２】
前記リングは、径方向に伸縮可能なＣリングが用いられていることを特徴とする請求項１に記載の人形玩具。
【請求項３】
前記一方のパーツは、硬質樹脂から形成されていることを特徴とする請求項１又は請求項２に記載の人形玩具。
【請求項４】
前記一方のパーツは、亜鉛ダイキャストにより成形されていることを特徴とする請求項３に記載の人形玩具。
【発明の詳細な説明】
【技術分野】
【０００１】  本発明は、所謂ボールジョイント（自在継手）によって関節部を相対回転可能にした複数のパーツから構成される人形玩具に関する。
【背景技術】
【０００２】  従来から、胴体に対して手や足、或いは複数に分割された胴体同士等を接続した人形玩具が周知である。
また、このような人形玩具には、より自然的（例えば、人間的）な関節等の動きを実現するため、ボールジョイント（自在継手）方式により複数のパーツを連結した人形玩具も多数知られている（例えば、特許文献１参照。）。【０００３】
【特許文献１】  特開平７−１８５１３９号公報
【発明の開示】
【発明が解決しようとする課題】
【０００４】  ところで、上記の如く構成された人形玩具にあっては、例えば、手の付根と胴体肩部分とを受け側とボール側とから構成されるボールジョイント方式で連結した場合に、その手を上方に向けた状態を維持させるには、ボールジョイント部分に、ある程度の摩擦抵抗が存在していないと、手が下がってしまう。一方、この摩擦抵抗が大きいと、手を動かすことが困難となるため、両者間の摩擦抵抗を適当な設定とすることが困難であるという問題が生じていた。例えば、ボール側と受け側との双方がダイキャストである場合は、成形後のパーツに弾性がないため、成形時の寸法誤差や硬化時の材質の伸縮特製等に起因する寸法次第で、両者間が必要以上に強固な嵌合となってしまったり、逆に緩やかな嵌合となってしまうという問題となっていた。【０００５】  このような問題を解決するためには、ボール側と受け側双方のパーツの材質が樹脂同士であれば、受け側、例えば、ボディの前面側と背面側とを合わせて両者間をねじにより結合する際、その締結力を調整することによって受け側とボール側間の可動トルクの調整を行っていた。また、受け側がダイキャストでボール側が樹脂の場合あるいはその逆の場合には、ダイキャストからなる側に全く弾性がないために、ねじ締めのトルク設定に頼りづらく、両者間が強固な嵌合となった固着現象が容易に起こり得ていた。さらにまた、嵌合部分の摩擦抵抗が高いと、経年的な使用（繰り返される関節可動動作）に伴って受け側の内壁面及びボール側の表面が削られてしまい、次第に摩擦抵抗が低くなり、ボールジョイント部分の所定トルクが得られないという問題も生じていた。【０００６】  そこで、本発明は、上記事情を考慮し、連結部分の摩擦抵抗を効果的に利用することができ、しかも互いに相対回転可能な連結パーツの材質やその組み合わせを問わず同様な効果を得ることができる人形玩具を提供することを目的とする。
【課題を解決するための手段】
【０００７】  請求項１に記載の人形玩具は、分割された一方のパーツに少なくとも半球面以上の内面積を有する凹状球面が形成され、分割された他方のパーツに少なくとも半球面以上の外面積を有する凸状球面が形成され、前記凹状球面に前記凸状球面を嵌合することにより前記一方のパーツに対して前記他方のパーツが所定範囲内で自在に回動可能に保持された人形玩具において、前記凸状球面の外面に中心を含む断面上に前記外面よりも突出するＯリングを設けたことを特徴とする。請求項１に記載の人形玩具によれば、前記凸状球面の外面に中心を含む断面上に外面よりも突出するＯリングが設けられ、その凸状球面を凹状球面に嵌合することにより、一方のパーツに対して他方のパーツが所定範囲内の可動トルクで自在に回動可能に保持されることにより、連結部分の摩擦抵抗を効果的に利用することができ、しかも互いに相対回転可能な連結パーツの材質やその組み合わせを問わず同様な効果を得ることができる。なおかつ経年的摩滅に伴う凹状球面２ｂの内径に対する追従性が向上される。【０００８】  請求項２に記載の人形玩具は、前記リングは、径方向に伸縮可能なＣリングが用いられていることを特徴とする。請求項２に記載の人形玩具によれば、凸状球面の外面に中心を含む断面上に外面よりも突出するリングを径方向に伸縮可能なＣリングが用いられていることにより、請求項一と同様の効果を得ることが可能となった。
【発明の効果】
【０００９】  本発明は、ボールジョイントによって胴体に対して手や足、あるいは複数に分割された胴体同士等のパーツを連結した関節部を備える人形玩具の、連結されたパーツ双方の材質に拘らず、程良い可動トルクを確保することが可能となり、しかも、一定のトルクを長期にわたって維持することができる。
【発明を実施するための最良の形態】
【００１０】  次に、本発明の一実施形態に係る人形玩具について、図面を参照して説明する。図１に示すように、人形玩具１（頭部や脚部等の一部のパーツを除く）は、胸部２、腹部３、下腹部４、腕部５、脚部６の人体に相当するパーツに分割されている。尚、胸部２の首部２ａには任意のキャラクター頭部が着脱可能に装着され、腕部５及び脚部６の各先端にキャラクターに合わせた手足が装着される。また、これら胸部２、腹部３、下腹部４、腕部５、脚部６は、必要に応じて人体の正面と背面とで２分割された合わせ構造が採用されているが、その構成は周知の雌雄の異なるインロー形式等で嵌めあわされている。さらに、胸部２、腹部３、下腹部４、腕部５、脚部６は、亜鉛ダイキャスト、ナイロン、ポリカーボネイトなどを材質とし、比較的硬質に形成されている。一方、胸部２、腹部３、下腹部４、腕部５、脚部６は、それぞれ人体の関節的な動きが可能となるように連結されている。このため、腕部５は上腕部５ａと下腕部５ｂとに分割されており、それぞれが関節部５ｃによって少なくとも人体と同様に内側に対して屈曲が可能となっている。同様に、脚部６は大腿部６ａと下腿部６ｂとに分割されており、それぞれが関節部６ｃによって少なくとも人体と同様に内側に対して屈曲が可能となっている。【００１１】  図２は、図１における胸部２の受け側と腕部５とのボール側とからなるボールジョイント部の拡大図である。胸部２はボディの前面側と背面側（図示せず）を合わせてその肩口に相当する部分に半球面以上の内面積を有する受け側である凹状球面２ｂが形成されており、該凹状球面２ｂの開放部２ｃは腕部５の人体上下及び前後方向に相当する回動範囲を規定する。また、腕部５の上端には、少なくとも半球面以上の外面積を有するボール側である凸状球面７が設けられ、該凸状球面７の外面には、球の中心Ｇを含む断面上の外周の全周にわたって突出するようにシリコン系エラストマー等の弾性素材からなるＯリング８が設けられている。尚、凸状球面７には、腕部５に設けられた連結突起（図示せず）により腕部５に連結されるための嵌合穴７ａが形成されている。【００１２】  このように構成されたボールジョイント部は、Ｏリング８が設けられた凸状球面７のボール側を、胸部２のボディの前面側と背面側（図示せず）を合わせたときに形成される受け側である凹状球面２ｂに嵌合して組み立てた際、ボール側の凸状球面７の表面に突出したＯリング８が、受け側の凹状球面２ｂの内壁面に押圧された状態で当接する。これにより、Ｏリング８の弾性により凹状球面２ｂの内径寸法に誤差に対する追従注が向上し、製造誤差が生じたとしてもＯリング８の弾性により吸収することが可能となり、常に所定の可動トルクで回動可能に保持することが可能となった。なおかつ、受け側の凹状球面２ｂに対するボール側の凸状球面７との接触面積はＯリング８の接触部分となるために、接触面積が狭くなり凹状球面２ｂの経年的摩滅を軽減し、所定のトルクを長期にわたって維持することが可能となった。【００１３】  また、このように構成されたボールジョイント部の、ボール側の凸状球面７と、受け側である凹状球面２ｂの一方のパーツを樹脂で成型して他方を異なる材質で形成しても���の効果は同様であり、なおかつ一方のパーツを亜鉛ダイキャストで成型して他方を異なる材質で形成してもその効果は同様である。【００１４】  このように本発明は、連結されたパーツ双方の材質に拘らず、人形玩具の関節部の程良い可動トルクを確保することが可能となり、しかも、一定のトルクを長期にわたって維持することが可能となったものである。尚、Ｏリング８は、凸状球面７の外面に球の中心Ｇを含む位置に全周にわたって凹状の溝を設けて、Ｏリング８を伸ばした状態で嵌め入れた構成としても良いし、同様の位置にＯリング８が配置されるように凸状球面７とＯリング８を二重成形として構成してもよい。また、Ｏリングのほか、径方向に伸縮可能なＣリング（Ｅリングを含む）を用いることによっても同様な効果が得られるものである。尚、上述した球面以上の内面積を有する受け側である凹状球面２ｂと、少なくとも半球面以上の外面積を有するボール側であるＯリング８が設けられた凸状球面７とは、胸部２と腕部５のほかに、例えば、胸部２と腹部３、腹部３と下腹部４、下腹部４と脚部５などの接続部分においても適用することができる。
【図面の簡単な説明】
【００１５】
【図１】本発明の人形玩具の正面図である。
【図２】要部の拡大断面図である。
【符号の説明】
【００１６】    １…人形玩具
２…胸部
２ｂ…凹状球面
３…腹部
４…下腹部
５…腕部
６…脚部
７…凸状球面
８…Ｏリング
【図１】
2006334364.tif 000003
【図２】
2006334364.tif 000004